(57)【要約】      （修正有）【課題】フィルムの包装作業を行いやすく、且つフィルムの粉塵汚染を防止でき、並びに緩衝と衝突防止の能力を増加し、これにより包装効率と保護効果をアップするロールフィルム端部保護具を提供する。【解決手段】ロールフィルム端部保護具は、フィルム５０が巻かれる中心軸管６０の二端に保護板４０が設けられ、該保護板４０が金属で形成され、且つ中央に該中心軸管６０の二端に嵌合するための嵌合部４０３が一体成形方式で凸設されている。これにより、金属で一体成形された保護板４０により、フィルム５０の包装作業に便利で、フィルム５０の粉塵汚染を防止し、並びに緩衝及び衝突防止の能力を増し、これにより包装効率と保護効果をアップすることができる。【選択図】図５
0003176839.tif 000002
【実用新案登録請求の範囲】
【請求項１】
ロールフィルム端部保護具において、フィルムを巻いた中心軸管の両端にそれぞれ設置される保護板を具え、該保護板は金属材料で形成され、且つ中央部分に、該中心軸管の両端に嵌め込まれる嵌合部が一体成形方式で凸設されたことを特徴とする、ロールフィルム端部保護具。
【請求項２】
請求項１記載のロールフィルム端部保護具において、該保護板に第１側面と該第１側面に背向する第２側面が設けられたことを特徴とする、ロールフィルム端部保護具。
【請求項３】
請求項２記載のロールフィルム端部保護具において、該保護板の第１側面の中央部分に該嵌合部が凸設されたことを特徴とする、ロールフィルム端部保護具。
【請求項４】
請求項１記載のロールフィルム端部保護具において、該保護板の該嵌合部は該中心軸管内部形状に対応する円管状とされたことをとを特徴とする、ロールフィルム端部保護具。
【請求項５】
請求項１記載のロールフィルム端部保護具において、該保護板の該嵌合部の前端は面取り部と該面取り部を連結する斜錐部とされて、該中心軸管への嵌め込みに有利とされたことを特徴とする、ロールフィルム端部保護具。
【請求項６】
請求項１記載のロールフィルム端部保護具において、該保護板の該嵌合部の後端部分にストッパ部が設けられて、該ストッパ部が該中心軸管との当接に供され、これによりフィルムの側辺が該保護板の該第１側面と適宜間距を保持することを特徴とする、ロールフィルム端部保護具。
【請求項７】
請求項１記載のロールフィルム端部保護具において、該保護板の周縁部分に框部が設けられ、これにより全体強度が高められたことを特徴とする、ロールフィルム端部保護具。
【請求項８】
請求項１記載のロールフィルム端部保護具において、該保護板の該嵌合部の周側部分に複数の補強リブが環状に配置され、これにより全体の強度が高められたことを特徴とする、ロールフィルム端部保護具。
【考案の詳細な説明】
【技術分野】
【０００１】
本考案はフィルムの包装作業を行いやすく、且つフィルムの粉塵汚染を防止でき、並びに緩衝と衝突防止の能力を増加し、これにより包装効率と保護効果をアップするロールフィルム端部保護具に関する。
【背景技術】
【０００２】
フィルム（たとえば、感光フィルム、回路板フィルム）は、表面が摩損しないように保護して収納する必要がある。このため紙管に巻いて紙箱に収容する時には、宙に浮いた状態として紙箱に接触しないようにし、フィルムが損傷しないようにする必要がある。
【０００３】
図１、２は、一般に使用されているフィルム包装方式であり、それは、保護板１０と嵌め管１１を包含する。該保護板１０は木製（たとえば三合板）を裁断してなり、且つ中央部分に穿孔１０１が設けられ、該嵌め管１１が該穿孔１０１に挿入され、該嵌め管１１は該保護板１０外側面に接触するフランジ１１１と、該保護板１０の内側面より突出する嵌合部１１２を有し、ロールフィルム２０の中心軸管３０の両端内に挿入され、並びに二つの保護板１０がロールフィルム２０を保護して損傷を防止する。
【０００４】
ただし、このような保護板１０及び嵌め管１１の包装方式には以下のような欠点がある。
１．該保護板１０は木製材料を裁断してなるため、極めて木屑粉塵を発生しやすく、そのためにロールフィルム２０の汚染を形成し、且つロールフィルム２０の側辺は保護板１０の内側面と直接接触してロールフィルム２０が損傷しやすい。また、該木製の保護板１０が受けられる衝撃力は有限であり、運送過程中に衝撃を受けると破損しやすく、これによりロールフィルム２０の包装保護効果に影響を生じる。
２．嵌め管１１は保護板１０の穿孔１０１に挿入された後、さらに嵌め管１１の嵌合部１１２がロールフィルム２０の中心軸管３０の両端内に嵌め込まれ、作業上の面倒を形成する。
３．木製の保護板１０は破損しやすく、且つ耐用性が低く、このため、一般には使用後に直接廃棄され、回収利用できず、資源上の浪費を形成するのみならず、環境保護に反する。
【０００５】
ゆえに、このような周知の技術の欠点を改善するロールフィルム端部保護具を提供することが本考案の主旨である。
【考案の概要】
【考案が解決しようとする課題】
【０００６】
本考案の目的の一つ目は、一種のロールフィルム端部保護具を提供することにあり、それは、ロールフィルムが巻かれる中心軸管の両端に、それぞれ保護板が設置され、該保護板は金属材料で形成され、且つ中央部分に嵌合部が一体成形方式で凸設され、該嵌合部が中心軸管の二端に嵌合され、該保護板によりフィルムを保護し、こうして、金属材料を一体成形してなる保護板により、フィルムの粉塵汚染を防止し、並びに緩衝と衝突防止能力をアップし、これにより、包装保護効果を高める実用目的を達成するものとする。
【０００７】
本考案の目的の二つ目は、一種のロールフィルム端部保護具を提供することにあり、それは、フィルムを巻く中心軸管の両端にそれぞれ保護板が設けられ、該保護板は金属材料で形成され、且つ中央部分に嵌合部が一体成形方式で凸設され、該嵌合部が中心軸管の二端に嵌合され、該保護板によりフィルムを保護し、こうして、金属材料を一体成形してなる保護板により、フィルムの包装作業を容易に行えるようにし、これにより包装効率をアップする実用目的を達成するものとする。
【０００８】
本考案の目的の三つ目は、一種のロールフィルム端部保護具を提供することにあり、それは、金属材料を一体成形してなる保護板により、大幅に全体強度を増し、耐用性を高め、回収利用を可能とし、資源浪費の防止と環境保護の実用目的を達成するものとする。
【課題を解決するための手段】
【０００９】
請求項１の考案は、ロールフィルム端部保護具において、フィルムを巻いた中心軸管の両端にそれぞれ設置される保護板を具え、該保護板は金属材料で形成され、且つ中央部分に、該中心軸管の両端に嵌め込まれる嵌合部が一体成形方式で凸設されたことを特徴とする、ロールフィルム端部保護具としている。
請求項２の考案は、請求項１記載のロールフィルム端部保護具において、該保護板に第１側面と該第１側面に背向する第２側面が設けられたことを特徴とする、ロールフィルム端部保護具としている。
請求項３の考案は、請求項２記載のロールフィルム端部保護具において、該保護板の第１側面の中央部分に該嵌合部が凸設されたことを特徴とする、ロールフィルム端部保護具としている。
請求項４の考案は、請求項１記載のロールフィルム端部保護具において、該保護板の該嵌合部は該中心軸管内部形状に対応する円管状とされたことをとを特徴とする、ロールフィルム端部保護具としている。
請求項５の考案は、請求項１記載のロールフィルム端部保護具において、該保護板の該嵌合部の前端は面取り部と該面取り部を連結する斜錐部とされて、該中心軸管への嵌め込みに有利とされたことを特徴とする、ロールフィルム端部保護具としている。
請求項６の考案は、請求項１記載のロールフィルム端部保護具において、該保護板の該嵌合部の後端部分にストッパ部が設けられて、該ストッパ部が該中心軸管との当接に供され、これによりフィルムの側辺が該保護板の該第１側面と適宜間距を保持することを特徴とする、ロールフィルム端部保護具としている。
請求項７の考案は、請求項１記載のロールフィルム端部保護具において、該保護板の周縁部分に框部が設けられ、これにより全体強度が高められたことを特徴とする、ロールフィルム端部保護具としている。
請求項８の考案は、請求項１記載のロールフィルム端部保護具において、該保護板の該嵌合部の周側部分に複数の補強リブが環状に配置され、これにより全体の強度が高められたことを特徴とする、ロールフィルム端部保護具としている。
【考案の効果】
【００１０】
本考案のロールフィルム端部保護具は、フィルムが巻かれる中心軸管の二端に保護板が設けられ、該保護板が金属で形成され、且つ中央に該中心軸管の二端に嵌合するための嵌合部が一体成形方式で凸設されている。これにより、金属で一体成形された保護板により、フィルムの包装作業に便利で、フィルムの粉塵汚染を防止し、並びに緩衝及び衝突防止の能力を増し、これにより包装効率と保護効果をアップする実用目的を達成する。
【図面の簡単な説明】
【００１１】
【図１】周知のロールフィルム包装方式の部品分解図である。
【図２】周知のロールフィルム包装方式の組合せ断面図である。
【図３】本考案の外観表示図である。
【図４】本考案の断面図である。
【図５】本考案の使用表示図（一）である。
【図６】本考案の使用表示図（二）である。
【図７】本考案の使用表示図（三）である。
【図８】本考案の使用表示図（四）である。
【考案を実施するための形態】
【００１２】
本考案の技術内容、構造特徴、達成する目的を詳細に説明するため、以下に実施例を挙げ並びに図面を組み合わせて説明する。
【００１３】
図３、４に示されるように、本考案のロールフィルム端部保護具は、保護板４０を包含し、該保護板４０は、フィルムが巻かれる中心軸管の両端に取り付けられ、該保護板４０は金属材料で製造され、且つ第１側面４０１と第２側面４０２を具えている。該第１側面４０１の中央に一体成形方式で嵌合部４０３が凸設され、該嵌合部４０３は該中心軸管の両端に挿入される。
【００１４】
本実施例では、該保護板４０の嵌合部４０３は中心軸管内部形状に対応する円管状とされ、該中心軸管の両端内部に挿入され、該嵌合部４０３の前端に面取り部４０４が形成されて、フィルムを傷つけないものとされ、及び該面取り部４０４に連結する斜錐部４０５が設けられて、中心軸管の両端内部への挿入に有利とされ、且つ該嵌合部４０３と第１側面４０１の後端部分にストッパ部４０６が設けられ、中心軸管の端部と当接し、該フィルムの側辺と該保護板４０の第１側面４０１が適宜距離を保持するものとされる。
【００１５】
また、該保護板４０の周縁部分に、框部４０７が形成され、且つ該嵌合部４０３の周側部分に、複数の補強リブ４０８が環状に配設され、該框部４０７及び補強リブ４０８が保護板４０の全体強度を高める。
【００１６】
図５、６、８を参照されたい。本考案を使用する時、フィルム５０が巻かれた中心軸管６０の両端に、それぞれ保護板４０が取り付けられ、並びに二つの保護板４０の嵌合部４０３がそれぞれ該中心軸管６０の両端内に挿入され、すなわち、該フィルム５０及び中心軸管６０が二つの保護板４０の間に架設、保持され、並びに保護板４０で該フィルム５０が包装、保護され、且つ保護板４０の嵌合部４０３がそれぞれ該中心軸管６０の両端に嵌め込まれた後、該保護板４０のストッパ部４０６が中心軸管６０の両端部に当接し、該フィルムの側辺が保護板４０の第１側面４０１と適宜間距を保持し、こうしてフィルム５０側辺の摩擦、損傷が防止される。
【００１７】
図８に示されるように、フィルム５０が巻かれた中心軸管６０の両端に保護板４０が嵌め込まれた後、該フィルム５０が紙箱７０に入れられてパッケージされ、フィルム５０の包装作業が完成する。
【００１８】
これにより、本考案は金属材料で形成された保護板４０に嵌合部４０３が一体成形されて、フィルム５０を巻いた中心軸管６０が嵌合され、フィルム５０の包装作業を行いやすくするのみならず、包装効率をアップし、並びにフィルム５０が粉塵汚染を受けるのを防止し、及び、緩衝と衝突防止能力をアップし、包装保護効果を高める。且つその耐用性はアップされ、回収使用可能とされ、資源浪費と環境保護の実用目的を達成する。
【００１９】
これにより、本考案は実用性と進歩性を具えた設計とされ、同じ製品及び刊行物における公開はなく、このため実用新案登録の要件に符合する。
【符号の説明】
【００２０】
１０  保護板                    １０１  穿孔
１１  嵌め管
１１１  フランジ                １１２  嵌合部
２０  フィルム                  ３０  中心軸管
４０  保護板
４０１  第１側面                ４０２  第２側面
４０３  嵌合部                  ４０４  面取り部
４０５  斜錐部                  ４０６  ストッパ部
４０７  框部                    ４０８  補強リブ
５０  フィルム                  ６０  中心軸管
７０  紙箱
【図１】
0003176839.tif 000003
【図２】
0003176839.tif 000004
【図３】
0003176839.tif 000005
【図４】
0003176839.tif 000006
【図５】
0003176839.tif 000007
【図６】
0003176839.tif 000008
【図７】
0003176839.tif 000009
【図８】
0003176839.tif 000010